【事件の表示】
　特願２０１１−１１９１５８「ディスク装置」拒絶査定不服審判事件〔平成２４年１２月１３日出願公開、特開２０１２−２４８２５１、請求項の数（２）〕について、次のとおり審決する。
【結　論】
　原査定を取り消す。
　本願の発明は、特許すべきものとする。
【理　由】
第１　手続の経緯
　本願は、平成２３年５月２７日の出願であって、その手続の経緯は以下のとおりである。
　平成２６年８月１５日付け　拒絶理由の通知
　平成２６年１０月３日　　　意見書、手続補正書の提出
　平成２７年２月１３日付け　拒絶理由の通知
　平成２７年４月１７日　　　意見書、手続補正書の提出
　平成２７年８月２４日付け　拒絶査定（謄本送達日平成２７年９月１日）
　平成２７年１１月３０日　　審判請求書の提出
　平成２８年８月１８日付け　当審における拒絶理由の通知
　平成２８年９月２９日　　　意見書、手続補正書の提出
第２　本願発明
　本願の請求項１及び２に係る発明は、平成２８年９月２９日付けの手続補正で補正された特許請求の範囲の請求項１及び２に記載された事項により特定される以下のとおりのものである（以下、それぞれ「本願発明１」、「本願発明２」という。）。
　なお、平成２８年９月２９日付けの手続補正により、補正前の請求項２は削除され、補正前の請求項３が補正後の請求項２となった。
「 【請求項１】
　ディスクの挿排口を設けたシャーシと、当該シャーシに弾性部材を介して保持されるフローティング部とからなり、
　前記フローティング部は、
　回転により、ディスクを前記挿排口から再生位置までの搬送経路に沿って搬送する搬送ローラと、　前記搬送ローラを前記挿排口に対して前記再生位置側で回転自在に支持し、前記ディスクを再生する場合は前記搬送ローラを前記搬送経路から退避させ、前記ディスクを搬送する場合は前記搬送ローラを前記搬送経路へ移動させる可動部材と、
　前記可動部材の前記挿排口側に突設され、前記可動部材による前記搬送ローラの退避動作に連動して前記搬送経路内に移動させられ、新たなディスクの挿入を阻止するディスク挿入防止突部と、
　前記再生位置に搬送された前記ディスクを再生する再生部とを有するディスク装置において、
　前記ディスク挿入防止突部は、当該ディスク挿入防止突部の挿排口側に形成され、前記シャーシ天面側に向かうにつれ前記挿排口側へ傾斜するテーパ形状であり、前記搬送経路の方向に対して傾いた状態で挿入される前記新たなディスクが当接し、該当接による押圧力により前記フローティング部を遊動させる受け部を備え、前記フローティング部が前記シャーシの天面側へ遊動して前記フローティング部と前記シャーシの天面との隙間を閉じることを特徴とするディスク装置。
　【請求項２】
　ディスクの挿排口を設けたシャーシと、当該シャーシに弾性部材を介して保持されるフローティング部とからなり、
　前記フローティング部は、
　回転により、ディスクを前記挿排口から再生位置までの搬送経路に沿って搬送する搬送ローラと、
　前記搬送ローラを前記挿排口に対して前記再生位置側で回転自在に支持し、前記ディスクを再生する場合は前記搬送ローラを前記搬送経路から退避させ、前記ディスクを搬送する場合は前記搬送ローラを前記搬送経路へ移動させる可動部材と、
　前記可動部材の前記挿排口側に突設され、前記可動部材による前記搬送ローラの退避動作に連動して前記搬送経路内に移動させられ、新たなディスクの挿入を阻止するディスク挿入防止突部と、
　前記再生位置に搬送された前記ディスクを再生する再生部とを有するディスク装置において、
　前記ディスク挿入防止突部は、板金製の前記可動部材を内角が鈍角をなすよう前記シャーシ天面側へ折り曲げてなり、当該折り曲げ部分の挿排口側を向く面であって、前記搬送経路の方向に対して傾いた状態で挿入される前記新たなディスクが当接し、該当接による押圧力により前記フローティング部を遊動させる受け部を備え、前記フローティング部が前記シャーシの天面側へ遊動して前記フローティング部と前記シャーシの天面との隙間を閉じることを特徴とするディスク装置。」
第３　当審における拒絶理由及び原査定の理由の概要
１　当審における拒絶理由の概要
　当審における拒絶理由の概要は、以下のとおりである。
（１）本件出願の請求項２に係る発明は、その出願前日本国内または外国において頒布された特開平１１−８６３９９号公報に記載された発明であるから、特許法第２９条第１項第３号に該当し、特許を受けることができない。
（２）本件出願の請求項２に係る発明は、その出願前日本国内または外国において頒布された特開平１１−８６３９９号公報に記載された発明に基いて、その出願前にその発明の属する技術の分野における通常の知識を有する者が容易に発明をすることができたものであるから、特許法第２９条第２項の規定により特許を受けることができない。 
２　原査定の理由の概要
　原査定の理由の概要は、この出願の請求項１−３に係る発明は、その出願前に日本国内又は外国において頒布された特開２００２−２６０３１６号公報及び特開平１１−８６３９９号公報に記載された発明並びに周知慣用技術（例えば、特開平１１−６６６７３号公報、特開２００３−１６７６８号公報、実願平５−６０１１９号（実開平７−３２７３２号）のＣＤ−ＲＯＭ等参照）に基いて、その出願前にその発明の属する技術の分野における通常の知識を有する者が容易に発明をすることができたものであるから、特許法第２９条第２項の規定により特許を受けることができないというものである。
第４　当審の判断
１　当審における拒絶理由について
　平成２８年９月２９日付けの手続補正により、補正前の請求項２が削除され、当審における拒絶理由は解消した。
２　原査定の理由について
（１）引用例の記載事項
ア　原査定の拒絶の理由で引用された特開２００２−２６０３１６号公報（以下「引用例１」という。）には、図面とともに、以下の事項が記載されている（なお、下線は当審において付したものである。）。
（ア）「【０００７】このように、従来のディスク誤挿入防止装置は、所定のディスク１−１を収納した後にアーム部材８０を回動させて挿入口に誤挿入防止突起８４を突出させることで、新たなディスク１−２が誤挿入しないように防止していた。しかしながら、従来のディスク誤挿入防止装置では、図８（ｃ）に示すように、
アーム部材８０を支持する移動シャシ７０が固定シャシ６０内に浮動（フローティング）状態で支持されているため、ディスク１−１を収納した後にアーム部材８０とディスクガイド６２との間に新たなディスク１−２を差し込むことで、このディスク１−２が移動シャシ７０とともにアーム部材８０を押し下げて固定シャシ６０内に誤挿入してしまうことがあった。
（イ）「【００１１】図１に示すように、本発明によるディスク誤挿入防止装置の実施の形態は、図７に示した従来技術と同様に、
ＣＤ、ＤＶＤなどのディスクを記録再生するディスク記録再生装置の本体（図示せず）内に収納されており、この本体内の挿入口（図示せず）に配置されてディスク１を収納する固定シャシ１０と、この固定シャシ１０内に浮動状態に支持されてターンテーブル２６などの記録再生部品を備えてディスク１を設置（ローディング）して記録再生する移動シャシ２０と、この移動シャシ２０に回動可能に支持されてディスク１を引き込むローラ３２または第２誤挿入防止突起３４のいずれかを回動により出没させるアーム部材３０とを備えている。
【００１２】ここで、移動シャシ２０は、図７に示した従来技術とは異なり、側面２１及び上面２２を備えて内部にターンテーブル２６などの記録再生部品を設けている。また、
固定シャシ１０は、本体内の挿入口に第１誤挿入防止突起１２を一体に（図１では２箇所）形成し、この第１誤挿入防止突起１２が移動シャシ２０の上面２２を貫通して挿通するように設けている。
移動シャシ２０は、上面２２に前述した第１誤挿入防止突起１２が貫通して挿通するように切り欠き部２２ａを設けている
移動シャシ２０は、内部の上面２２にディスク１を円滑に案内するディスクガイド２８（図３（ａ）参照）を備えている。そして、この移動シャシ２０は、従来技術と同様に、固定シャシ１０内にダンパ２４を介して浮動（フローティング）状態に支持されており、
【００１３】また、
アーム部材３０は、図７に示した従来技術と同様に、移動シャシ２０の軸３０ａに回動可能に軸支されており、この軸３０ａを支点にして一端側にディスク１を引き込むローラ３２と、他端側にディスク１−１の収納後に新たなディスク１−２の誤挿入（二重入れ：図４参照）を防止する第２誤挿入防止突起３４とを各々設けている。ここで、ローラ３２は、軸３０ａを支点に回動して移動シャシ２０の上面２２に向かって上昇し、ディスクガイド２８（図３（ａ）参照）とともにディスク１を挟んでターンテーブル２６に搬送するように形成している。また、第２誤挿入防止突起３４は、軸３０ａを支点に回動し、図２に示すように、ディスク１の誤挿入を防止する挿入口の開口位置に突出して停止するように形成している。この際、第２誤挿入防止突起３４は、挿入口に突出する先端が移動シャシ２０の上面２２まで延在して重なるように形成している。
ディスク１を無理に差し込んだ場合、図８（ｃ）に示した従来技術とは異なり、第１誤挿入防止突起１２と移動シャシ２０の上面２２との間にディスク１を差し込めないため（図４参照）、このディスク１が移動シャシ２０を押し下げて誤挿入することを確実に防止することができる。また同様に、第２誤挿入防止突起３４と移動シャシ２０の上面２２との間にもディスク１を差し込みできない。
　ここで、図１、図４は、以下のとおりである。
図１
　
図４
  
　したがって、引用例１には次の発明（以下、「引用発明１」という。）が記載されている。
「ＣＤ、ＤＶＤなどのディスクを記録再生するディスク記録再生装置の本体（図示せず）内に収納されており、この本体内の挿入口に配置されてディスク１を収納する固定シャシ１０と、
　この固定シャシ１０内にダンパ２４を介して浮動（フローティング）状態に支持されてターンテーブル２６などの記録再生部品を備えてディスク１を設置（ローディング）して記録再生する移動シャシ２０とからなり、
　固定シャシ１０は、本体内の挿入口に第１誤挿入防止突起１２を一体に形成し、この第１誤挿入防止突起１２が移動シャシ２０の上面２２を貫通して挿通するように設けられ、上面２２に前述した第１誤挿入防止突起１２が貫通して挿通するように切り欠き部２２ａが設けられ、
　移動シャーシ２０は、内部の上面２２にディスク１を円滑に案内するディスクガイド２８を備え、
　この移動シャシ２０に回動可能に支持されてディスク１を引き込むローラ３２と、
　該ローラ３２または第２誤挿入防止突起３４のいずれかを回動により出没させるアーム部材３０とを備え、
　アーム部材３０は、移動シャシ２０の軸３０ａに回動可能に軸支されており、この軸３０ａを支点にして一端側にディスク１を引き込むローラ３２と、他端側にディスク１−１の収納後に新たなディスク１−２の誤挿入を防止する第２誤挿入防止突起３４とが各々設けられ、ここで、ローラ３２は、軸３０ａを支点に回動して移動シャシ２０の上面２２に向かって上昇し、ディスクガイド２８（図３（ａ）参照）とともにディスク１を挟んでターンテーブル２６に搬送するように形成され、
　第２誤挿入防止突起３４は、軸３０ａを支点に回動し、ディスク１の誤挿入を防止する挿入口の開口位置に突出して停止するように形成され、この際、第２誤挿入防止突起３４は、挿入口に突出する先端が移動シャシ２０の上面２２まで延在して重なるように形成され、従って、ディスク１を無理に差し込んだ場合、第１誤挿入防止突起１２と移動シャシ２０の上面２２との間にディスク１を差し込めないため、このディスク１が移動シャシ２０を押し下げて誤挿入することを確実に防止することができ、また同様に、第２誤挿入防止突起３４と移動シャシ２０の上面２２との間にもディスク１を差し込みできない、ディスク記録再生装置。」
イ　原査定の拒絶の理由で引用された特開平１１−８６３９９号公報（以下「引用例２」という。）には、図面とともに、以下の事項が記載されている（なお、下線は、当審において付したものである。）。
（ア）「【０００２】
【従来の技術】従来のＣＤプレーヤの挿入口ドアの構造の例を図２に示す。
フローティングシャーシは図示していないが、図に示すディスクモータ１、クランパホルダ２およびその昇降機構（図示していない）、ディスクガイド６およびゴムローラアーム４およびその回動機構（図示していない）、図示していない光ピックアップおよびその送り機構を支持しており、ディスク８がクランプされた再生時にはばねおよびダンパーで構成される減衰機構により本体シャーシに浮動状態に支持される
【０００３】ディスクモータ１はフローティングャーシに固定されており、その回転軸にはターンテーブル１ａが固着されている。クランパホルダ２はクランパ３を載置しており、昇降機構により昇降される。
ディスクガイド６はフローティングシャーシに固定されている。ゴムローラアーム４はゴムローラ５を回転自在に支持しており、軸７を介してフローティングシャーシに回動自在に支持され回動機構により回動される。ゴムローラアーム４にはディスク挿入口を開閉するドア４ａが固着されている
（イ）「【０００６】
【発明が解決しようとする課題】
上記した従来のＣＤプレーヤでは、ディスク再生時にドア４ａがディスク挿入口を塞いでいるが、ドア４ａはフローティングシャーシに支持されているため、ドア４ａを動かすことができる。従って、図に示す２枚目のディスクでドア４ａを押し下げでディスクをディスクガイド６の下に押し込むことができる。このような動作によりディスクに傷をつけまた装置を壊す恐れがあった。
（ウ）「【０００８】
【課題を解決するための手段】
この発明の光ディスク再生装置は、光ディスク挿入口を開閉するドアが閉じているときの前記ドアと挿入口との隙間から光ディスクが挿入されるのを防止する突起を前記ドアに設けたものである
（エ）「【０００９】また、
前記光ディスク再生装置において、前記ドアが送りローラ支持アームに取付けられ、送りローラ支持アームが送りローラを光ディスクに圧接する位置に回動されたときに、前記ドアが光ディスク挿入口を開き、送りローラ支持アームが送りローラを光ディスクから離す位置に回動されたときに、前記ドアが光ディスク挿入口を閉じるように構成したものである
【００１０】
【発明の実施の形態】この発明の実施例を図面に基づいて説明する。図１（ａ）はこの発明の実施例であるＣＤプレーヤのディスクアンクランプ状態を示し、図１（ｂ）は同ＣＤプレーヤのディスククランプ状態を示している。図において、従来例で示したものと同様の機能を有する部分は同一の符号が付されており、その詳細な説明を省略する。
【００１１】
実施例のＣＤプレーヤのドア４ａの上部には外側に向けて突起４ｂが設けられている。そのために図１（ｂ）に示すディスククランプ状態において、２枚目のディスク先端を上に傾けても突起４ｂに引っ掛かってディスクガイドの下に挿入することができずディスクの誤挿入が防止される
　ここで、図１は、以下のとおりである。
図１
　
　したがって、引用例２には、次の発明（以下、「引用発明２」という。）が記載されている。
「本体シャーシと、ディスク８がクランプされた再生時にはばねおよびダンパーで構成される減衰機構により本体シャーシに浮動状態に支持され、ディスクモータ１、クランパホルダ２およびその昇降機構、ディスクガイド６およびゴムローラアーム４およびその回動機構、光ピックアップおよびその送り機構を支持するフローティングシャーシを有し、
　前記ディスクガイド６はフローティングシャーシに固定され、
　ゴムローラアーム４はゴムローラ５を回転自在に支持しており、軸７を介してフローティングシャーシに回動自在に支持され回動機構により回動され、
　ゴムローラアーム４にはディスク挿入口を開閉するドア４ａが固着され、前記ドアが送りローラ支持アームに取付けられ、送りローラ支持アームが送りローラを光ディスクに圧接する位置に回動されたときに、前記ドアが光ディスク挿入口を開き、送りローラ支持アームが送りローラを光ディスクから離す位置に回動されたときに、前記ドアが光ディスク挿入口を閉じるように構成され、
　ドア４ａの上部には外側に向けて突起４ｂが設けられ、ディスククランプ状態において、２枚目のディスク先端を上に傾けても突起４ｂに引っ掛かってディスクガイドの下に挿入することができずディスクの誤挿入が防止される、光ディスク再生装置」
ウ　原査定の拒絶の理由で引用された特開平１１−６６６７３号公報（以下「引用例３」という。）には、図面とともに、以下の事項が記載されている（なお、下線は、当審において付したものである。）。
（ア）「【課題を解決するための手段】この発明のディスク装置のディスク挿入口構造は、記録再生部が設けられた
フローティング部に固定されたディスクガイドとシャーシの間を前記ディスクガイドに取付けられたフレキシブルシート
【０００７】また、前記ディスク装置のディスク挿入口構造において、
前記フレキシブルシートのディスクガイドに接する側の一部に突出部を形成
　ここで、図１は、以下のとおりである。
図１
　
　したがって、引用例３には、次の技術事項（以下、「技術事項３」という。）が記載されている。
「フローティング部に固定されたディスクガイドにフレキシブルシートを取り付け、該フレキシブルシートのディスクガイドに接する側の一部に突出部を形成したディスク装置」
エ　原査定の拒絶の理由で引用された特開２００３−１６７６８号公報（以下「引用例４」という。）には、図面とともに、以下の事項が記載されている（なお、下線は、当審において付したものである。）。
（ア）「【０００２】
【従来の技術】従来から、例えば、
車載用の音響機器（再生装置）
このような音響機器には、図７に示すように、筐体状の再生機器１と操作パネル２とからなる再生装置本体３を備えている。
（イ）「【００１８】
図１において、ＣＤオートチェンジャー１０は、再生装置本体の一部を構成する操作パネル１１と、操作パネル１１の裏面にネジ１２を介して固定されたシャッタベース１３と、シャッタベース１３に回動可能に装着されたシャッタ１４とを備えている
（ウ）「【００２３】また、
シャッタ本体１４ｂの表面には、その幅方向中央付近に所定の幅を備え且つ上部寄りに位置する溝１４ｄが形成されている
　ここで、図１及び図７は、以下のとおりである。
図１
　
図７
　
　したがって、引用例４には、次の技術事項（以下、「技術事項４」という。）が記載されている。
「筐体状の再生機器と操作パネルとからなる再生装置本体３を備えた車載用の音響機器において、操作パネル１１の裏面にネジ１２を介して固定されたシャッタベース１３と、シャッタベース１３に回動可能に装着されたシャッタ１４とを備え、シャッタ本体１４ｂの表面には、その幅方向中央付近に所定の幅を備え且つ上部寄りに位置する溝１４ｄが形成されている、車載用の音響機器。」
オ　原査定の拒絶の理由で引用された実願平５−６０１１９号（実開平７−３２７３２号）のＣＤ−ＲＯＭ（以下「引用例５」という。）には、図面とともに、以下の事項が記載されている（なお、下線は、当審において付したものである。）。
（ア）「【０００２】
  【従来の技術】
  図８は、従来から用いられているコンパクトディスク再生装置１の正面図である。
このコンパクトディスク再生装置１では、前面板２に扉部材３が設けられ
（イ）「【０００４】
  
扉部材３がピン５のまわりに時計方向に角変位されることによって、図１０に示されるように挿入口４が閉じられる
新たなコンパクトディスクが挿入口４から挿入されることが防がれ
　ここで、図１０は、以下のとおりである。
図１０
　
　したがって、引用例５には、次の技術事項（以下、「技術事項５」という。）が記載されている。
「前面板２に扉部材３が設けられ、扉部材３がピン５のまわりに時計方向に角変位されることによって挿入口４が閉じ、新たなコンパクトディスクが挿入口４から挿入されることを防ぐ、コンパクトディスク再生装置。」
（２）本願発明１と引用発明１の対比
　引用発明１の「固定シャシ１０」、「移動シャシ２０」、「ローラ３２」、「アーム部材３０」は、それぞれ本願発明１の「シャーシ」、「フローティング部」、「搬送ローラ」、「可動部材」に相当する。
　引用発明１の「第２誤挿入防止突起３４」は、軸３０ａを支点に回動し、ディスク１の誤挿入を防止する挿入口の開口位置に突出して停止するように形成され、第２誤挿入防止突起３４と移動シャシ２０の上面２２との間にディスク１を差し込めなくするものであるから、本願発明１にいう「ディスク挿入阻止突部」に対応するものといる。
　そうすると、本願発明１と引用発明１との一致点及び相違点は以下のとおりである。
　[一致点]
「ディスクの挿排口を設けたシャーシと、当該シャーシに弾性部材を介して保持されるフローティング部とからなり、
　前記フローティング部は、
　回転により、ディスクを前記挿排口から再生位置までの搬送経路に沿って搬送する搬送ローラと、
　前記搬送ローラを前記挿排口に対して前記再生位置側で回転自在に支持し、前記ディスクを再生する場合は前記搬送ローラを前記搬送経路から退避させ、前記ディスクを搬送する場合は前記搬送ローラを前記搬送経路へ移動させる可動部材と、
　前記可動部材の前記挿排口側に突設され、前記可動部材による前記搬送ローラの退避動作に連動して前記搬送経路内に移動させられ、新たなディスクの挿入を阻止するディスク挿入防止突部と、
　前記再生位置に搬送された前記ディスクを再生する再生部とを有するディスク装置。」
 ［相違点］ 
　「ディスク挿入防止突部」が、本願発明１では、「当該ディスク挿入防止突部の挿排口側に形成され、前記シャーシ天面側に向かうにつれ前記挿排口側へ傾斜するテーパ形状であり、前記搬送経路の方向に対して傾いた状態で挿入される前記新たなディスクが当接し、該当接による押圧力により前記フローティング部を遊動させる受け部を備え、前記フローティング部が前記シャーシの天面側へ遊動して前記フローティング部と前記シャーシの天面との隙間を閉じる」のに対し、引用発明１は、そのような受け部を備えていない点。
（３）相違点に対する判断 
　引用発明２は、ドア４ａ（本願発明１の「ディスク挿入阻止突部」に対応。）の上部に、外側に向けて「突起４ｂ」を設け、２枚目のディスクを挿入するべく該ディスクの先端を上に傾けても、ディスクが「突起４ｂ」に引っ掛かって、
フローティングシャーシに固定された「ディスクガイド６」の下
フローティング部１００とシャーシ１０２の隙間
　また、引用発明２の「突起４ｂ」は、本体シャーシの天面側に向かうにつれディスク挿入口側へ傾斜する「テーパ形状」とはいえず、かつ、引用例２には、フローティングシャーシ及び本体シャーシの光ディスク挿入口付近の具体的な構造についても記載がないから、上記「突起４ｂ」が本願発明１にいう「前記フローティング部が前記シャーシの天面側へ遊動して前記フローティング部と前記シャーシの天面との隙間を閉じる」機能を有するものかどうかも定かでない。
　してみれば、引用発明１の「第１誤挿入防止突起１２」に代えて、引用発明１の「第２誤挿入防止突起３４」に引用発明２の「突起４ｂ」を設けたとしても、相違点２に係る構成には至らないし、テーパ形状の部材でディスクの進路を誘導すること自体が周知慣用技術であったとしても、上記「突起４ｂ」を、さらに「前記フローティング部が前記シャーシの天面側へ遊動して前記フローティング部と前記シャーシの天面との隙間を閉じる」機能を有する「テーパ形状」の「受け部」に置換して、相違点２の構成とする動機付けがあるとはいえない。
　ところで、技術事項３の「突出部」は、シャーシ天面側に向かうにつれディスク挿入口側へ傾斜する「テーパ形状」とはいい得るものの、「フローティング部に固定されたディスクガイドに取り付けられたフレキシブルシート」の一部であって、本願発明１にいう「可動部材の挿排口側に突設」された「ディスク挿入阻止突部」に設けたものではない。
　また、技術事項４の「溝１４ｄ」は、「再生装置本体３」（本願発明１にいう「シャーシ」に相当。）の「操作パネル１１の裏面にネジ１２を介して固定されたシャッタベース１３」に「回動可能に装着されたシャッタ１４」の表面に形成されたものであるから、本願発明にいう「可動部材の挿排口側に突設」された「ディスク挿入阻止突部」に設けたものではない。また、技術事項４の「溝１４ｄ」は、そもそも「フローティング部」に設けられたものではないから、本願発明１にいう「前記フローティング部が前記シャーシの天面側へ遊動して前記フローティング部と前記シャーシの天面との隙間を閉じる」機能を有するものでないことも明らかである。
　そうすると、仮に、引用発明１に技術事項３又は技術事項４を適用したとしても、相違点２に係る構成に至らないことは明らかである。
　また、技術事項５の「扇部材３」に関し、引用例５の図１０によれば、一見、天面側に向かうにつれ挿排口側へ傾斜しているものの、その角度や機能については記載も示唆もない。さらに、考案の詳細な説明及び図面の記載からみて、技術事項５は、「フローティング部」を持たない据置型のコンパクトディスク装置に関するものと認められるから、技術事項５の「扇部材３」が、本願発明１にいう「前記フローティング部が前記シャーシの天面側へ遊動して前記フローティング部と前記シャーシの天面との隙間を閉じる」機能を有するものでないことも明らかである。
　したがって、引用発明１に技術事項５を適用して相違点２に係る構成とする動機付けがあるとはいえない。
（４）小括
　以上より、本願発明１は、当業者が引用発明１ないし２及び技術事項３−５に基いて容易に発明をすることができたとはいえない。
（５）本願発明２と引用発明１との相違点、判断
　本願発明２と引用発明１とは、以下の点で相違する（上記（１）、（２）参照）。
 ［相違点］ 
　「ディスク挿入防止突部」に関し、本願発明２は、「板金製の前記可動部材を内角が鈍角をなすよう前記シャーシ天面側へ折り曲げてなり、当該折り曲げ部分の挿排口側を向く面であって、前記搬送経路の方向に対して傾いた状態で挿入される前記新たなディスクが当接し、該当接による押圧力により前記フローティング部を遊動させる受け部を備え、前記フローティング部が前記シャーシの天面側へ遊動して前記フローティング部と前記シャーシの天面との隙間を閉じる」のに対し、引用発明１は、そのような受け部を有していない点。
　そして、本願発明２についても、本願発明１と同様の理由で、当業者が引用発明１ないし２及び技術事項３−５に基いて容易に発明をすることができたとはいえない。
第５　むすび
　以上のとおり、本願の請求項１及び２に係る発明は、いずれも、当業者が引用発明１ないし２及び技術事項３−５に基づいて容易に発明をすることができたものではないから、原査定の理由によっては、本願を拒絶することはできない。
　また、他に本願を拒絶すべき理由を発見しない。
　よって、結論のとおり審決する。